【事件の表示】
　特許第２７４４０４８号「弾性成形手段を有する生理用ナプキン」の特許に対する特許異議の申立てについて、次のとおり決定する。
【結　論】
　訂正を認める。
　特許第２７４４０４８号の請求項１、２に係る特許を維持する。
【理　由】
１．手続の経緯
　本件特許第２７４４０４８号に係る特許は、その出願が平成１年２月２２日の出願（優先権主張、１９８８年２月２６日、米国）であって、平成１０年２月６日に特許権の設定の登録があり、平成１０年１０月２７日付けで特許異議申立人プロクター・アンド・ギャンブル・ファーイースト・インクから、平成１０年１０月２８日付けで特許異議申立人ユニ・チャーム株式会社及び特許異議申立人花王株式会社から、それぞれ特許異議の申立てがあり、平成１１年１０月１２日付けで取消理由を特許権者に通知したところ、平成１２年５月１日付けで意見書及び訂正請求書が提出された。
　
２．訂正の内容
訂正事項（１）
　請求項１を削除する。また、これに伴い、請求項２及び３の項番号をそれぞれ繰り上げて、新請求項１及び２とする。
訂正事項（２）
　請求項１及び２（原請求項２及び３）の（ｂ）に、「該吸収性要素の該縦側部の各々の中央部付近に配置された」なる記載を加入する。
訂正事項（３）
　請求項１及び２（原請求項２及び３）の（ｂ）に、「該肌着の股部分の側部上に折り返すための」なる記載を加入する。
訂正事項（４）
　請求項１（原請求項２）の（ｃ）の「肌着に面する側面上に折り返す該フラップの一方を形成するために」を、『該フラップの少なくとも一方を肌着に面する側面上に折り返すために』と訂正する。
訂正事項（５）
　明細書における３箇所の誤記を、下記のとおり訂正する。
　（イ）明細書第３頁第１８行又特許公報第２頁第３欄第２０行の
　　　「名目な」を、『名目的な』と訂正する。
　（口）明細書第５頁第８行又特許公報第２頁第３構第４６行の　　
　　　「ために」を、『ための』と訂正する。
　（ハ）明細書第５頁第１６行又特許公報第２頁第４欄第４行の
　　　「伝える」を、『与える』と訂正する。
訂正事項（６）
　明細書第１０頁第４行又特許公報第３頁第５欄第３１行の「形成する」を、『吸収性要素の縦側部の各々の中央部付近に形成する』と訂正する。
訂正事項（７）
　明細書第１８頁第１０行乃至第１９頁第１０行又特許公報第４頁第８欄第２２〜４１行の「１．（ａ）・・・生理用ナプキン。」なる記載を、下記のとおり訂正する。
『１．（ａ）縦に延びる側部と、横端部と、身体に面する側面と、肌着に面する側面とを有する吸収性要素と、
（ｂ）該吸収性要素の該縦側部の各々から横に延びており、該吸収性要素の該縦側部の各々の中央部付近に配置された、該肌着の股部分の側部上に折り返すためのフラップと、
（ｃ）該フラップの少なくとも一方を肌着に面する側面上に折り返すために、該フラップの少なくとも一方内に配置された弾性手段と
を含むことを特徴とする生理用ナプキン。』
訂正事項（８）
　明細書第１９頁第１１行乃至第２１頁第４行又特許公報第４頁第８欄第４２行乃至第５頁第９欄第２０行の「６．・・・生理用ナプキン。」なる記載における番号を、下記のとおり訂正する。
（イ）明細書第１９頁第２０行（末行）又は特許公報第４頁第８欄第４９行の「７．」を、『２．』と訂正する。
（ロ）明細書第２０頁第１行又は特許公報第４頁第８欄第５０行の「上記６」を、『上記１』と訂正する。
（ハ）明細書第２０頁第２行又は特許公報第５頁第９欄第１行の「８．」を、「３．」と訂正する。
（ニ）明細書第２０頁第７行又は特許公報第５頁第９欄第５行の「上記６」を、『上記１』と訂正する。
（ホ）明細書第２０頁第８行又は特許公報第５頁第９欄第６行の「９．」を、『４．』と訂正する。
（へ）明細書第２０頁第１０行又は特許公報第５頁第９欄第８行の「上記７」を、『上記２』と訂正する。
（ト）明細書第２０頁第１２行又は特許公報第５頁第９欄第９行の「１０．」を、『５．』と訂正する。
（チ）明細書第２０頁第１４行又は特許公報第５頁第９欄第１１行の「上記９」を、『上記４』と訂正する。
（リ）明細書第２０頁第１５行又は特許公報第５頁第９欄第１２行の「１１．」を、『６．』と訂正する。
（ヌ）明細書第２０頁第１７行又は特許公報第５頁第９欄第１４行の「上記１０」を、『上記５』と訂正する。
（ル）明細書第２０頁第１９行又は特許公報第５頁第９欄第１５行の「１２．」を、『７．』と訂正する。
（ヲ）明細書第２０頁第２０行（末行）又は特許公報第５頁第９欄第１６行の「上記６」を、『上記１』と訂正する。
（ワ）明細書第２１頁第２行又は特許公報第５頁第９欄第１８行の「１３．」を、『８．』と訂正する。
（力）明細書第２１頁第３行又は特許公報第５頁第９欄第１９行の「上記１２」を、『上記７』と訂正する。
訂正事項（９）
　明細書第２１頁第５〜８行又は特許公報第５頁第９欄第２１〜２４行の「１４．該弾性細片が、・・・生理用ナプキン。」なる記載を、
『９．該弾性細片が、該フラップ上に配置され、該フラップを該ナプキンの肌着に面する側面上に折り返すために、引っ張り状態において付着される上記８に記載の生理用ナプキン。』と訂正する。
訂正事項（１０）
　明細書第２１頁第９〜１７行又は特許公報第５頁第９欄第２５行乃至第１０欄第５行の「１５．（ａ）・・・生理用ナプキン。」なる記載を、請求項２の記載に対応するように、下記のとおり訂正する。
『１０．（ａ）縦に延びる側部と、横端部とを有する吸収性要素と、
（ｂ）該吸収性要素の該縦側部の各々から横に延びており、該吸収性要素の該縦側部の各々の中央部付近に配置された、該肌着の股部分の側部上に折り返すためのフラップと、
（ｃ）該フラップの一方の肌着に面する側面により凹な形状を提供するために、該フラップの少なくとも一方内に縦に配置された弾性手段と
を含むことを特徴とする身体に面する側面と肌着に面する側面とを
有する生理用ナプキン。』
訂正事項（１１）
　明細書第２１頁第１８行乃至第２２頁第２行又特許公報第５頁第１０欄第６〜１０行の記載における番号を、下記のとおり訂正する。
（イ）明細書第２１頁第１８行又は特許公報第５頁第１０欄第６行の「１６．」を、『１１．』と訂正する。
（ロ）明細書第２１頁第１９行又は特許公報第５頁第１０欄第６行の「上記１５」を、『上記１０』と訂正する。
（ハ）明細書第２１頁第２０行（末行）又は特許公報第５頁第１０欄第８行の「１７．」を、『１２．』と訂正する。
（ニ）明細書第２２頁第１〜２行又は特許公報第５頁第１０欄第９行の「上記１６」を、『上記１１』と訂正する。
　
３．訂正の適否（目的要件、新規事項、拡張・変更）
　本件訂正のうち、訂正事項１乃至訂正事項４は特許請求の範囲の減縮を目的とするものであり、訂正事項５は誤記の訂正を目的とするものであり、訂正事項６乃至訂正事項１１は明りょうでない記載の釈明を目的とするものである。
　また、本件訂正は、願書に添付した明細書又は図面の記載事項の範囲内の訂正と認められ、特許請求の範囲を拡張又は変更するものでもない。
　
４．独立特許要件の判断
４−１．取消理由通知の概要
理由１
　本件請求項１（訂正請求により削除された。）に係る発明は、その優先権主張日前の出願であって、その優先権主張前に公表された特願昭６３−５００７６３号（特表平２−５０１７１０号公報）（出願：昭和６２年１２月１７日、公表：平成２年６月１４日）（以下、先願明細書１という）又は特願昭６３−５００７６４号（特表平２−５０１６２５号公報）（出願：昭和６２年１２月１７日、公表：平成２年６月７日）（以下、先願明細書２という）の先願明細書又は図面に記載された発明と同一と認められ、本件請求項２及び請求項３（訂正後の請求項１及び請求項２）は、いずれも前記先願明細書１の明細書又は図面に記載された発明と同一と認められる。
　しかも、これらの発明の発明者が上記先願明細書に記載された発明の発明者であるとも、この出願の時において、その出願人が上記先願の出願人と同一であるとも認められないので、これらの発明は特許法第２９条の２の規定に違反してなされたものである。
理由２
　請求項２に記載の「肌着に面する側面上に折り返す該フラップの一方を形成するために、該フラップの少なくとも一方内に配置された弾性手段」の技術的意味が不明瞭である。したがって、特許法第３６条第４項１号及び同第２号の規定を満たしていない。
　
４−２．理由１（２９条の２違反）について
４−２−１．訂正された請求項に係る発明
　訂正明細書の特許請求の範囲の請求項１及び請求項２に係る発明は、訂正明細書及び図面の記載からみて、その特許請求の範囲の請求項１及び請求項２に記載された次の通りの事項により特定されるものである。
請求項１
（ａ）縦に延びる側部と、横端部と、身体に面する側面と、肌着
に面する側面とを有する吸収性要素と、
（ｂ）該吸収性要素の該縦側部の各々から横に延びており、該吸収性要
素の該縦側部の各々の中央部付近に配置された、該肌着の股部分の側部
上に折り返すためのフラップと、
（ｃ）該フラップの少なくとも一方を肌着に面する側面上に折り返すた
めに、該フラップの少なくとも一方内に配慮された弾性手段と
を含むことを特徴とする生理用ナプキン。
請求項２
（ａ）縦に延びる側部と、横端部とを有する吸収性要素と、
（ｂ）該吸収性要素の該縦側部の各々から横に延びており、該吸収性要
素の該縦側部の各々の中央部付近に配置された、該肌着の股部分の側部上
に折り返すためのフラップと、
（ｃ）該フラップの一方の肌着に面する側面により凹な形状を提供する
ために、該フラップの少なくとも一方内に縦に配置された弾性手段と
を含む
ことを特徴とする身体に面する側面と肌着に面する側面とを有する生理
用ナプキン。
　
４−２−２．先願明細書の記載事項
先願明細書１（摘記は特表平２−５０１７１０号公報による）
「図示の衛生ナプキンは相互接続された２つの面層２，３から成るケーシングに入れた吸収体１を含む。面層２はパンテイの使用中パンテイに面し、故にケーシングの所謂外側を形成する不透液性層であり、この面層は後述のように離間した点でパンテイへ取り付けられ、面層３は使用中着用者の体に面する透液性層であり、故にケーシングの所謂内側を構成する。図から明らかなように、ケーシングの少なくとも一端は側部フラップ４，５を形成する側方延長部を有する。第１図において、側部フラップはナプキンの一端から他端へ延び、図示のように上端からテーパになり、この端はパンテイ内で前方に置かれ、故に以後ナプキンの前端と称される。」（第２頁右上欄１４行〜２５行）
「衛生ナプキンの適用は次のように行われる。パンテイを一部引き下げてナプキンを内部に置き、パンテイを引き上げる。ナプキンが適正に位置していると、これはパンテイを着用するときに容易に確認され、側方に突出したフラップ４，５がパンテイの縁の回りに折り畳まれ、接着剤層６，７がパンテイの外側に取り付けられる。ナプキンが後方または側方へ誤変位する場合、外から近寄りうる側方フラップの助けにより再調節できる。しかし、ナプキンが最初にパンテイ内で過度に正面上方に置かれ、後ろへ引かなければならない場合、パンテイを緩めてこの再配置を可能にせねばならない。」（第２頁左下欄５行〜１４行）
「第２図のナプキンは縦方向および横方向の弾性部材９，１０を含むことである。横方向弾性部材１０は、シネマチェア（ｃｉｎｅｍａ　ｃｈａｉｒ）におけるシャッフリング（ｓｈｕｆｆｌｉｎｇ）運動のようにパンテイがそのナプキンと共にやや変位した場合にナプキンと外性器との間に隙間が生じるのを阻止するために内側へ湾曲する傾向を吸収体に与えるためのものである。換言すると、ナプキンは内方に曲がった形状にばね装填できる。横方向弾性部材１０は面層２および好ましくは吸収体１に面する側に配置される。」（第２頁右下欄１１行〜１９行）
　そして、第３図から、側部フラップ４、５が上端からテーパ状に細くなり、横方向弾性部材１０が吸収体１を横切ってフラップの一部領域に、縦方向弾性部材９が側部フラップの側面に沿って設けられていることが認められる、
先願明細書２（摘記は特表平２−５０１６２５号公報による）
「図示の衛生ナプキンは２枚の面層２，３から成るケーシングに収納された吸収コア１から成り、前記層は吸収コアの回りに適当な態様で互いに結合される。
面層２は不透液性であり、使用中は着用者の体から遠ざかる方向に面するように置かれる。更に、衛生ナプキンを着用者のパンテイの内側に取り付けるために狭い範囲のバインダ被覆がこの面層に付与される。バインダ被覆は解放可能保護テープ４により従来の態様で覆われる。面層３は透液性であり、パンテイ内で衛生ナプキンの適用時に着用者の体に緊密に接触するように置かれる。
　衛生ナプキンを平面状態で示す第１図から明らかなように、ナプキンは吸収コアに面する面層２の側へ例えば接着により取り付けられた予備延伸された弾性手段５、６を備える。前記弾性手段は吸収コアに沿ってその２つの長い辺の外側で延びたリボンまたは糸５、および縦糸５を相互接続する横の糸６から成ることができる。第２−４図は自由歪み状態にある第１図による衛生ナプキンを示し、この自由歪み状態は衛生ナプキンが応力を受けないときにとるものと想像される形態である。自由歪み状態では、ナプキンは弾性の影響に起因して縦方向にも横方向にも弧の形状をとる。」（第２頁左上欄１４行〜右上欄９行）
　
４−２−３．対比・判断
　訂正請求により特許明細書の特許請求の範囲の請求項１が削除されたので、上記取消理由通知の内、原請求項１に対する取消理由は解消した。
　そこで、訂正後の請求項１及び請求項２に係る発明（本件発明１及び本件発明２）について検討する。
　請求項１及び請求項２に係る発明（本件発明１及び本件発明２）は、それぞれ（ｂ）項の「該吸収性要素の該縦側部の各々の中央部附近に配置された、該肌着の股部分の側部上に折り返すためのフラップ」という構成を備えるものである
　先願明細書１のフラップ４，５は、「側方に突出したフラップ４，５がパンテイの縁の回りに折り畳まれ、接着剤層６，７がパンテイの外側に取り付けられる。」（第２頁左下欄８行〜１０行）との記載からみて、肌着の股部分の側部上に折り返す機能を有しているものと理解される。
　しかし、側部フラップ４，５が記載されているものの、上端から下端に向けて細くテーパ状になっており、本件発明１及び本件発明２のように「中央部附近に配置された」ものではない。
　そして、先願明細書１には「ナプキンが後方または側方へ変位する場合、外から近寄りうる側方フラップの助けにより再調節できる。しかし、ナプキンが最初にパンテイ内で過度に正面上方に置かれ、後へ引かなければならない場合、パンテイを緩めてこの再配置を可能にせねばならない。」（第２頁左下欄１０行〜１５行）と記載されており、一端からテーパ状になっていることにより生じる問題点が記載されている。
　本件発明はフラップが配置される位置を「中央部附近」としているのであるから、先願明細書１に記載されたナプキンよりも、容易に再調整しうることは明らかである。
　よって、本件発明１及び本件発明２は、それぞれ（ｂ）項の「該吸収性要素の該縦側部の各々の中央部附近に配置されたフラップ」という点で先願明細書１に記載された発明と実質上相違するものであるから、特許法第２９条の２第１項及び第２項の規定に違反しているものとすることができない。
　
４−３．理由２（特許法第３６条第４項違反）について
　上記訂正事項（４）の、請求項１（原請求項２）の（ｃ）の「肌着に面する側面上に折り返す該フラップの一方を形成するために」を、『該フラップの少なくとも一方を肌着に面する側面上に折り返すために』と訂正したことにより、不明瞭な点は解消されたから、本件特許は、その出願が特許法第３６条第４項第１号及び同第２号の規定を満たしている。
　
４−４．独立特許要件の結論
　以上のとおりであるから、本件発明１及び本件発明２は、その出願の際独立して特許を受けることができるものである。
　
５．訂正の結論
　本件訂正は、特許法第１２０条の４第２項の規定を満たしている。
　また、本件訂正のうち、訂正事項（１）乃至訂正事項（４）、及び訂正事項（６）乃至訂正事項（１１）は特許法第１２０条の４第３項の規定で準用する特許法第１２６条第２項及至第４項の規定を満たしている。
  更に、本件訂正のうち、訂正事項（５）は特許法第１２０条の４第３項で準用し、附則平成６年法律第１１６号第６条第１項の規定で「なお従前の例による。」とされる改正前の特許法第１２６条第２項の規定を満たしている。
　よって、本件訂正を認める。
　
６．特許異議申立人プロクター・アンド・ギャンブル・ファーイースト・インクの特許異議申立てについて
６−１．理由の概要
理由１
　本件請求項１（訂正請求により削除された。）に係る発明は、その優先権主張日前の出願であって、その優先権主張前に公表された甲第１号証の１「特願昭６３−５００７６３号（特表平２−５０１７１０号公報）（出願：昭和６２年１２月１７日、公表：平成２年６月１４日）（以下、先願明細書１という）」及び甲第１号証の１（国際公開ＷＯ８８／０４５４６号公報）、又は甲第２号証の１「特願昭６３−５００７６４号（特表平２−５０１６２５号公報）（出願：昭和６２年１２月１７日、公表：平成２年６月７日）（以下、先願明細書２という）」及び甲第２号証の１（国際公開ＷＯ８８／０４５４７号公報）の先願明細書又は図面に記載された発明と同一と認められ、本件請求項２及び請求項３（訂正後の請求項１及び請求項２）は、いずれも前記先願明細書１の明細書又は図面に記載された発明と同一と認められる。
　しかも、この発明の発明者が上記先願明細書に記載された発明の発明者であるとも、この出願の時において、その出願人が上記先願の出願人と同一であるとも認められないので、これらの発明は特許法第２９条の２の規定に違反してなされたものである。
理由２
　請求項２に記載の「肌着に面する側面上に折り返す該フラップの一方を形成するために、該フラップの少なくとも一方内に配置された弾性手段」の技術的意味が不明瞭である。したがって、特許法第３６条第４項１号及び同第２号の規定を満たしていない。
　
６−２．前記特許異議申立てに対する判断
  取消理由通知で通知した理由及び証拠と実質上同じであるから、この特許異議申立に対する判断は、上記４．独立特許要件の判断で検討した通りである。
  したがって、上記特許異議申立人プロクター・アンド・ギャンブル・ファースト・インクの主張する理由及び証拠によっては本件発明１及び本件発明２を取り消すことができない。
　
７．特許異議申立人ユニ・チャーム株式会社による特許異議申立てについて
７−１．理由の概要
　本件請求項１に係る発明は、本願出願の前の出願であって、本願出願前に国際公開された甲第１号証（ＷＯ８８／０４５４７号公報）及びその翻訳文である甲第２号証（特表平２ー５０１６２５号公報）に記載された発明と同一と認められる。
　しかも、この発明の発明者が上記先願明細書に記載された発明の発明者であるとも、この出願の時において、その出願人が上記先願の出願人と同一であるとも認められないので、これらの発明は特許法第２９条の２の規定に違反してなされたものである。
　
７−２．前記異議申立てに対する判断
  本件訂正により原請求項１が削除されたので、本件異議申立てはその対象がなくなった。
　よって、本件異議申立てについては審理をする必要がなくなった。。
　
８．特許異議申立て人花王株式会社による特許異議申立てについて
８−１．理由の概要
理由１
　本件請求項１に係る発明は、本願出願の前の出願であって、本願出願前に国際公開された甲第１号証（ＷＯ８８／０４５４７号公報）に記載された発明と同一と認められる。
　しかも、この発明の発明者が上記先願明細書に記載された発明の発明者であるとも、この出願の時において、その出願人が上記先願の出願人と同一であるとも認められないので、これらの発明は特許法第２９条の２の規定に違反してなされたものである。
理由２
　本件請求項２及び請求項３に係る発明（本件発明１及び本件発明２）は、甲第２号証（特開昭５７−８２５０３号公報）、甲第３号証（特開昭６１ー９２６６８号公報）及び甲第４号証（特開昭６４ー６２１５８号公報）に記載された発明のいずれかと同一であるか、少なくともこれらの発明に基いて当業者が容易に発明をすることができたものであるから、これらの発明は特許法第２９条第１項第３号及び同条第２項の規定に違反してなされたものである。
　
８−２．前記異議申立てに対する判断
　上記理由１は、本件訂正により原請求項１が削除され、審理をする必要がなくなったので、理由２について検討する。
　
８−３．本件発明
　「４−２−１．訂正された請求項に係る発明」において特定したとおりである。
　
８−４．甲第２号証及至甲第４号証の記載事項
甲第２号証（特開昭５７−８２５０３号公報）
「（１）少なくとも、透水性表面シートと、不透水性裏面シートと、該両シートの間に介在する吸収体と、該吸収体の両側の長手方向に伸縮自在に取り付けられた伸縮部材とを備える使い捨ておむつにおいて、前記伸縮部材は幅１０〜６０ｍｍを有するテープ状の柔軟な吸水性素材から作られていることを特徴とする前記おむつ。」（第１頁左下欄５行〜１１行）
「伸縮部材は吸収体の両側縁から外側へ延びる部分の表面シートと裏面シートとにより形成されている側面フラップ中に取り付けられていることを特徴とする特許請求の範囲第１項記載の使い捨ておむつ。」（第１頁右下欄１行〜５行）
「本発明の主目的は、厚さ方向へ優れた柔かい弾性を有する比較的幅広いテープ状の吸水性伸縮部材が取り付けられ、これによりおむつの側縁部を脚囲りに柔かくしかも比較的広い圧接面積をもつて密着させるとともに、おむつの両側部にも吸収性を与えて、脚囲りからの排泄液の漏れを有効に防止することができる使い捨ておむつを提供することにある。」（第２頁１０行〜１７行）
「両側面フラップ１１と、該両側面フラップを長手方向に伸縮させるための吸水性伸縮部材１２とを備えている。」（第２頁左下欄９行〜１１行）
甲第３号証（特開昭６１−９２６６８号公報）
「不透水性外被覆と、身体側に面する浸透性被覆と、それらの間に挟まれた吸収層から構成され、その長手方向の両側縁のほぼ全長に渡り設けられた伸縮部を有し、該伸縮部により弓状に曲げられた樋形状となつていることを特徴とする全体として長方形をした弓状の樋形吸収パッド。」（第１頁左下欄４行〜１０行）
「特に本発明のパッドは、月経液や尿といった人体からの滲出液を吸収するために用いられる。」（第２頁左下欄４行〜６行）
甲第４号証（特開昭６４−６２１５８号公報）
「１．使用者の体から離れて存在するように設計された流体不透過性層と、使用者の周辺区域と表面接触する流体透過性層との間に挟まれた吸収性基体を含んでなり、前記層は少なくとも細長い解剖学的吸収体の端において互いに結合されており、そして前記吸収体の側面は解剖学的湾曲プロフィルを前記吸収体に与える弾性手段を有する、細長い解剖学的吸収体であって、前記弾性手段の各々は、前記吸収性体の側面が水平に関して上昇したフラップ（４、５）の形を取るように、収縮した状態の熱収縮性材料のストリップ（６）からなり、前記層（１、２）は前記ストリップの長さに沿って介在する複数の領域で前記ストリップへ結合されており、そして前記層の間の結合は、側面のフラップ（４、５）の、前記ストリップが設けられている部分において連続していないことを特徴とする解剖学的吸収体。」（第１頁左下欄５行〜右下欄２行）
「結局、吸収製品の側面は、上方にかつ内方に曲った、わずかに弾性のフラップの形態を取り、これらのフラップは使用者の体の動きに解剖学的に追随する。」（第３頁左上欄８行〜１１行）
　
８−５．対比、判断
　本件発明１及び本件発明２は、いずれもｂ項の「該吸収性要素の該縦側部の各々の中央部附近に配置された、該肌着の面する側面上に折り返すためのフラップ」という構成により特定されるものである。
　これに対し、甲第２号証に記載された発明は使い捨ておむつであって生理用ナプキンではない、しかも側面の全面にフラップが設けられ、中央部附近に配置されたとはいえない。
　また、該おむつのフラップは、その側縁部を脚回りに密着させるために吸収性伸縮部材を取り付けたものであって、本件発明１及び本件発明２のように肌着の面する側面上に折り返すためのものではない。
　よって、甲第２号証に記載された発明は、本件発明１及び本件発明２のｂ項の「該吸収性要素の該縦側部の各々の中央部附近に配置された、該肌着の面する側面上に折り返すためのフラップ」という構成を備えていない。
  甲第３号証に記載された発明は、樋形吸収パッドであって生理用ナプキンにも使用されるものである。しかし、パッドの両側縁のバッフル全長に亘り伸縮部を設けただけであって、フラップを備えて居らず、肌着の面する側面上に折り返すためのものでもない。
　よって、甲第３号証に記載された発明は、本件発明１及び本件発明２のｂ項の「該吸収性要素の該縦側部の各々の中央部附近に配置された、該肌着の面する側面上に折り返すためのフラップ」という構成を備えていない。
　甲第４号証に記載された発明は、細長い解剖学的吸収体であって、生理用ナプキンに使用されることは明らかである。
   この吸収体はフラップ４，５を備えているものの、側面に沿って設けられたものであって、中央部附近に配置されたものとはいえない。
　また、このフラップ４，５は上方にかつ内方に曲った形状をしており、使用者の体の動きに追随する機能を有するものの、本件発明１及び本件発明２のように肌着の面する側面上に折り返すためのものではない。
　よって、甲第４号証に記載された発明は、本件発明１及び本件発明２のｂ項の「該吸収性要素の該縦側部の各々の中央部附近に配置された、該肌着の面する側面上に折り返すためのフラップ」という構成を備えていない。
　したがって、甲第２号証乃至甲第４号証に記載された発明は、本件発明１及び本件発明２の「該吸収性要素の該縦側部の各々の中央部附近に配置された、該肌着の面する側面上に折り返すためのフラップ」という構成を備えていないのであるから、本件発明１及び本件発明２は、甲第２号証、甲第３号証及び甲第４号証に記載された発明と同一であるとも、甲第２号証乃至甲第４号証に記載された発明に基いて当業者が容易に発明をすることができたものともいえない。
９．むすび
　以上検討したように、３件の特許異議申立の理由及び証拠によっては、本件請求項１及び請求項２に係る発明の特許を取り消すことができない。
　又、他に本件請求項１及び請求項２に係る発明の特許を取り消すべき理由を発見しない。
【異議決定日】
平成１２年５月２３日（２０００．５．２３）
【訂正の要旨】
訂正の要旨
訂正事項（１）
　本件特許第２７４４０４８号明細書の特許請求の範囲の請求項１を、特許請求の範囲の減縮を目的として削除する。また、これに伴い、請求項２及び３の項番号をそれぞれ繰り上げて、新請求項１及び２とする。
訂正事項（２）
　本件特許第２７４４０４８号明細書の特許請求の範囲の請求項１及び２（原請求項２及び３）の（ｂ）に、特許請求の範囲の減縮を目的として「該吸収性要素の該縦側部の各々の中央部付近に配置された」なる記載を加入する。
訂正事項（３）
　本件特許第２７４４０４８号明細書の特許請求の範囲の請求項１及び２（原請求項２及び３）の（ｂ）に、特許請求の範囲の減縮を目的として「該肌着の股部分の側部上に折り返すための」なる記載を加入する。
訂正事項（４）
　本件特許第２７４４０４８号明細書の特許請求の範囲の請求項１（原請求項２）の（Ｃ）の「肌着に面する側面上に折り返す該フラップの一方を形成するために」を、特許請求の範囲の減縮を目的として『該フラップの少なくとも一方を肌着に面する側面上に折り返すために』と訂正する。
訂正事項（５）
　本件特許第２７４４０４８号明細書における３箇所の記載を、誤記の訂正を目的として、下記のとおり訂正する。
　（イ）明細書第３頁第１８行又特許公報第２頁第３欄第２０行の「名目な」を、『名目的な』と訂正する。
　（ロ）明細書第５頁第８行又特許公報第２頁第３構第４６行の「ために」を、『ための』と訂正する。
　（ハ）明細書第５頁第１６行又特許公報第２頁第４欄第４行の「伝える」を、『与える』と訂正する。
訂正事項（６）
　本件特許第２７４４０４８号明細書第１０頁第４行又特許公報第３頁第５欄第３１行の「形成する」を、明りょうでない記載の釈明を目的として『吸収性要素の縦側部の各々の中央部付近に形成する』と訂正する。
訂正事項（７）
　本件特許第２７４４０４８号明細書第１８頁第１０行乃至第１９頁第１０行又特許公報第４頁第８欄第２２〜４１行の「１．（ａ）・・・生理用ナプキン。」なる記載を、明りょうでない記載の釈明を目的として、下記のとおり訂正する。
『１．（ａ）縦に延びる側部と、横端部と、身体に面する側面と、肌着に面する側面とを有する吸収性要素と、
（ｂ）該吸収性要素の該縦側部の各々から横に延びており、該吸収性要素の該縦側部の各々の中央部付近に配置された、該肌着の股部分の側部上に折り返すためのフラップと、
（ｃ）該フラップの少なくとも一方を肌着に面する側面上に折り返すために、該フラップの少なくとも一方内に配置された弾性手段と
を含むことを特徴とする生理用ナプキン。』
訂正事項（８）
　本件特許第２７４４０４８号明細書第１９頁第１１行乃至第２１頁第４行又特許公報第４頁第８欄第４２行乃至第５頁第９欄第２０行の「６．・・・生理用ナプキン。」なる記載における番号を、明りょうでない記載の釈明を目的として、下記のとおり訂正する。
（イ）明細書第１９頁第２０行（末行）又は特許公報第４頁第８欄第４９行の「７．」を、『２．』と訂正する。
（ロ）明細書第２０頁第１行又は特許公報第４頁第８欄第５０行の「上記６」を、『上記１』と訂正する。
（ハ）明細書第２０頁第２行又は特許公報第５頁第９欄第１行の「８．」を、「３．」と訂正する。
（ニ）明細書第２０頁第７行又は特許公報第５頁第９欄第５行の「上記６」を、『上記１』と訂正する。
（ホ）明細書第２０頁第８行又は特許公報第５頁第９欄第６行の「９．」を、『４．』と訂正する。
（へ）明細書第２０頁第１０行又は特許公報第５頁第９欄第８行の「上記７」を、『上記２』と訂正する。
（ト）明細書第２０頁第１２行又は特許公報第５頁第９欄第９行の「１０．」を、『５．』と訂正する。
（チ）明細書第２０頁第１４行又は特許公報第５頁第９欄第１１行の「上記９」を、『上記４』と訂正する。
（リ）明細書第２０頁第１５行又は特許公報第５頁第９欄第１２行の「１１．」を、『６．』と訂正する。
（ヌ）明細書第２０頁第１７行又は特許公報第５頁第９欄第１４行の「上記１０」を、『上記５』と訂正する。
（ル）明細書第２０頁第１９行又は特許公報第５頁第９欄第１５行の「１２．」を、『７．』と訂正する。
（ヲ）明細書第２０頁第２０行（末行）又は特許公報第５頁第９欄第１６行の「上記６」を、『上記１』と訂正する。
（ワ）明細書第２１頁第２行又は特許公報第５頁第９欄第１８行の「１３．」を、『８．』と訂正する。
（カ）明細書第２１頁第３行又は特許公報第５頁第９欄第１９行の「上記１２」を、『上記７』と訂正する。
訂正事項（９）
　本件特許第２７４４０４８号明細書第２１頁第５〜８行又は特許公報第５頁第９欄第２１〜２４行の「１４．該弾性細片が、・・・生理用ナプキン。」なる記載を、明りょうでない記載の釈明を目的として『９．該弾性細片が、該フラップ上に配置され、該フラップを該ナプキンの肌着に面する側面上に折り返すために、引っ張り状態において付着される上記８に記載の生理用ナプキン。』と訂正する。
訂正事項（１０）
　本件特許第２７４４０４８号明細書第２１頁第９〜１７行又は特許公報第５頁第９欄第２５行乃至第１０欄第５行の「１５．（ａ）・・・生理用ナプキン。」なる記載を、請求項２の記載に対応するように、明りょうでない記載の釈明を目的として、下記のとおり訂正する。
『１０．（ａ）縦に延びる側部と、横端部とを有する吸収性要素と、
（ｂ）該吸収性要素の該縦側部の各々から横に延びており、該吸収性要素の該縦側部の各々の中央部付近に配置された、該肌着の股部分の側部上に折り返すためのフラップと、
（ｃ）該フラップの一方の肌着に面する側面により凹な形状を提供するために、該フラップの少なくとも一方内に縦に配置された弾性手段と
を含むことを特徴とする身体に面する側面と肌着に面する側面とを
有する生理用ナプキン。』
訂正事項（１１）
　本件特許第２７４４０４８号明細書第２１頁第１８行乃至第２２頁第２行又特許公報第５頁第１０欄第６〜１０行の記載における番号を、明りょうでない記載の釈明を目的として、下記のとおり訂正する。
（イ）明細書第２１頁第１８行又は特許公報第５頁第１０欄第６行の「１６．」を、『１１．』と訂正する。
（ロ）明細書第２１頁第１９行又は特許公報第５頁第１０欄第６行の「上記１５」を、『上記１０』と訂正する。
（ハ）明細書第２１頁第２０行（末行）又は特許公報第５頁第１０欄第８行の「１７．」を、『１２．』と訂正する。
（ニ）明細書第２２頁第１〜２行又は特許公報第５頁第１０欄第９行の「上記１６」を、『上記１１』と訂正する。
（５４）【発明の名称】
弾性成形手段を有する生理用ナプキン
（５７）【特許請求の範囲】
　
１
（ｂ）該吸収性要素の該縦側部の各々から横に延び
ており、該吸収性要素の該縦側部の各々の中央部付近に配置された、該肌着の股部分の側部上に折り返すための
（ｃ）
該フラップの少なくとも一方を
すた
を含むことを特徴とする生理用ナプキン。
　
２
（ｂ）該吸収性要素の該縦側部の各々から横に延び
ており、該吸収性要素の該縦側部の各々の中央部付近に配置された、該肌着の股部分の側部上に折り返すための
（ｃ）該フラップの一方の肌着に面する側面により凹な形状を提供するために、該フラップの少なくとも一方内に縦に配置された弾性手段とを含む
ことを特徴とする身体に面する側面と肌着に面する側面とを有する生理用ナプキン。
【発明の詳細な説明】
　発明の分野
　本発明は、肌着のための保護吸収性裏当てに関し、そしてさらに具体的には、パンティーの股部分の縁の回りに側部パネルを折り返し、かつ中央吸収剤を形成するために、生理用ナプキンを成形するための方法に関する。
　本発明を要約すれば、生理用ナプキンが開示され、中央吸収剤の身体に面する部分に大きな凸形状を提供するための弾性手段を有し、そして翼付きナプキンの実施態様においてフラップの接着剤なしの配置を許容する。弾性手段は、ナプキンの横幅にわたって引っ張り状態に置かれた１つ以上の弾性細片を含み、圧縮力を中央吸収性要素に及ぼし、かつ肌着に面する側面上に自然に内側にフラップを折り返させる。また、一方又は両方の翼において縦に配置された弾性手段を有する翼付きナプキンが開示され、翼の肌着に面する側面に凹形状を伝える。
　発明の背景
　伝統的に、生理用ナプキンは、身体に面する側面と、衣服に面する側面と、縦に延びる側部と、横端部とを有する中央吸収性要素を含んだ。これらのナプキンは、技術において一般に公知な如く、一般に、木材パルプの如く緩く関連した親水性材料から作成された吸収性芯を含む。この芯は、比較的名目
的
　着用者の身体との密接な接触の欠如による保護の損失を克服する努力において、技術は、製品の側部に沿って縦に配置された弾性部材を有する吸収性製品を導入し、横漏れに対するバリヤとして作用する中央吸収性領域に隣接した隆起縁部分を作成した。ＭｃＦａｒｌａｎｄの米国特許第４、５７９、５５６号、１９８３年３月１７日提出されたＷｉｄｌｕｎｄ他のＥＰＯ第００９１４１２号、及び１９８５年２月２日提出されたＭｏｋｒｙのＥＰＯ第０１５５５１５号を参照せよ。生理用ナプキンに関係しないが、Ｓｈｉｋａｔａ他の米国特許第４、６６１、１０２号は、使用する時、ダイヤパーの股部分に外側横張力を課するように配置された股引っ張り手段を有する可処分なダイヤパーを開示する。引っ張り手段の目的は、着用者の美的フィットを改良し、かつ空隙材料の包含を改良することである。
　最近のナプキン設計は、中央吸収剤の縦側部から横に延びる側部パネル、フラップ又は翼を含むことにより、側部縁漏れ問題を扱う。Ｍａｔｔｉｎｇｌｙの米国特許第４、６０８、０４７号とＭｃＮａｉｒの米国特許第４、２８５３４３号を参照せよ。これらの製品は、肌着の縁の回りを包むことにより、使用者の肌着を保護するように設計される。フラップは、好ましくは、体液不浸透性表面に配置された接着剤を有し、衣服の股部分の下側表面にそれらを付着させる。
　従って、標準使用中、着用者の身体との密接な接触を維持する生理用ナプキンのため
の
　発明の要約
　ナプキンを形成するための弾性手段を有する生理用ナプキンが、提供される。１つの実施態様において、本発明の弾性手段は、ナプキンの身体に面する側面により凸な形状を
与
　本発明の弾性手段がフラップに配置され、パンティーの股の側部上にそれらを折り返す時、従来フラップに適用された接着手段が除去される。この構成の利点は、使用者が、フラップを肌着に接着剤により付着し、又はフラップの正しい位置付けを保証するために付随する不便さを経験する必要を除去することである。好ましい設計において、フラップは、弾性細片の付加により、パンティーの回りで包むように予備形成され、弾性細片は、いろいろなパンティーのサイズに適合するために引き伸ばされ、かつ接着剤なしに固定される。
　上記の特徴のほかに、本発明の生理用ナプキンは、使用の後、非常に容易な除去を提供する。現在の翼付き生理用ナプキンは、パンティー股領域からナプキンを除去する前に、股の下側から接着剤を分離することにより、使用者が各フラップに面することを必要とする。本発明の改良された設計により、弾性要素による翼が引き伸ばされ、かつ使用者がナプキンを除去する時自動解除するために、使用者は、肌着からフラップを分離することを必要としない。さらに、上記の改良は、フラップの改良されたフィット及び／又は便利な適用を提供するために、組み合わせて又は別個に使用し得ることが注目される。
　従来のフラップの薄いポリエチレン・シートは、しばしば弾力性にされた肌着によって容易に折り返されることが、一般に公知である。翼付きナプキン設計におけるこの不足を克服するための努力において、本発明はまた、フラップの身体に面する側面に凸型形状を提供するために、翼付き生理用ナプキンのフラップに縦に配置された弾性手段を提供することを考える。この設計は、肌着が着用者に対して引き上げられる時、肌着によりフラップが折り返されるのを阻止することを可能にする。
　このため、使用の後、除去が容易な翼付き生理用ナプキンを提供することが、本発明の目的である。
　着用者の身体への密接なフィットのために、中央吸収剤の自然な凸形状を生成する生理用ナプキンを提供することが、本発明の別の目的である。
　パンティーの股部分の側部の回りにフラップの接着剤なしの配置を許容する構成を提供するために、フラップ又は翼領域において弾性手段を有する翼付き生理用ナプキンを提供することが、本発明のさらの別の目的である。
　説明が進むにつれ技術における熟練者には明らかになるこれらと他の目的を考慮して、本発明は、実質的に以後記載され、かつ、特許請求の範囲において具体的に記載された如く、部分の新しい構成、組み合わせと配置、及び方法に存する。
　発明の説明
　図面を参照し、そして特に第１ー３図を参照すると、弾性手段を配置した好ましい生理用ナプキン１００、２００と３００が示され、身体に面する側面により凸な形状を提供し、及び／又は肌着の股部分の側部で折り返されるフラップを形成する。
　第３図と第５図に関して、生理用ナプキン３００が提供され、縦に延びる側部２２０、横端部２１５、身体に面する側面２５０、及び肌着に面する側面２６０を含む吸収性要素２０６を有する。このナプキン３００は、弾性細片２２５と２３０として示された弾性手段を備え、弾性手段は吸収性要素２０６を横断して引っ張り状態に置かれ、かつ身体に面する側面２５０により凸な形状を提供するためにナプキン３００に付着される。この構成の好ましい実施態様において、弾性手段は、ナプキンの縦に延びる側部２２０において、ナプキン位置２３５と２４０によって示された２つの対向した点において吸収性要素２０６を横切って付着される。さらに好ましい実施態様において、弾性手段は、ナプキンの液体不浸透性の裏当て層に隣接して配置され、ナプキンの身体に面する側面により凸な形状を生成する引っ張り力を保証する。
　第１図、第２図と第４図に示された如く、実施態様において、生理用ナプキン１００と２００は、フラップ１０と１１９の少なくとも１つ内に弾性手段を備え、肌着の股部分の側部で折り返すようにフラップを
、吸収性要素の縦側部の各々の中央部付近に
　第２図に示された如く、ナプキンの実施態様２００は、フラップ１１９の少なくとも１つ内に配置された弾性細片１０５と１１０を含む。細片１０５と１１０は、好ましくは、一方の端部において、吸収性要素１０６とフラップ１１９の該一方の間の接合点において、そして他方の端部において、フラップの周囲にある点において付着される。好ましくは、弾性細片１０５と１１０は、フラップ１１９の両方内で引っ張り状態に置かれ、かつ点１１５と１２０において付着される。
　上記のナプキンの実施態様１００、２００と３００の弾性細片３０、３５、１０５、１１０、２２５と２３０は、好ましくは、最初の長さの約１００％乃至２００％引き伸ばされ、ナプキンに固定された時、好ましくは、約１６０％引き伸ばされる。好ましくは、弾性細片は、液体バリヤ表面に隣接して位置付けられ、そして組織層、パルプ及び体液浸透性表面が、密封の前に弾性細片の上に置かれる。所望ならば、弾性細片は、連続又は断続的な結合により全体長さに沿って液体バリヤ表面に固定され、一様な張力の適用を保証し、かつバリヤ表面の束なりを避ける。
　第１ー３図に示された如く、本発明の吸収性要素６、１０６と２０６は、柔らかい快適な材料から作成される。好ましくは、これらの要素は、第１図と第２図に示された如く、フラップが使用される時、「砂時計形状」に切り詰められる。適切な吸収性は、高液体保有の特性を有する架橋アクリル酸エステル・ポリマーの如く、従来の超吸収性材料を添加することにより、大量に添加なしに吸収剤の芯に組み入れられてもよい。
　一般に、中央吸収性要素６、１０６と２０６は、約４ー１０インチ長であり、好ましくは約６ー９インチであり、そして好ましくは、セルロース繊維、木材パルプ、再生セルロース又は綿繊維、及び／又は技術において一般に公知な他の吸収性材料の如く、緩く関連した吸収親水性材料から作成された芯を含む。
　使用者の身体に対して着用されるナプキンの側面は、弾性の比較的非吸収性の液体浸透性材料から作成されてもよい体液浸透性表面１３０と２５０によって覆われる。この材料は、快適さと順応性のために提供され、そしてそのような液体を保持する下側層、例えば木材パルプに体液を移動させる。カバーは、皮膚に隣接した比較的乾いた表面を提供するために、構造内に液体を殆ど又は全く保持しない。一般に、液体透過性表面１３０と２５０は、吸収性要素６、１０６と２０６の身体に面する側面を覆うために十分な幅を有する単一の矩形の材料シートである。好ましくは、液体浸透性表面１３０と２５０は芯よりも長く、十分に芯を閉鎖するために他の浸透性又は非浸透性層で密封される端部タブを形成する。液体浸透性表面１３０と２５０は、好ましくは、ポリエチレン、ポリプロピレンの如く、熱可塑性ポリマーの繊維又は単繊維又は穴あきポリマーフイルムから作成された非織り布である。
　吸収性材料６、１０６と２０６の芯の下側に、吸収性材料の別の層を設け、製品に対して付加的な弾力性を提供することができる。この付加層は、吸収性要素６、１０６と２０６の側部から逃れる体液を捕獲するために吸収性芯の縦側部を超えて延びることができる。この層は、中央吸収剤６、１０６と２０６の芯よりも実質的に幅が広く、そして翼付きナプキン構成１００、２００と６００のフラップ内に延びていてもよい。吸収性層は、セルロース繊維から作成された組織、布、等の如く、薄い吸収性の材料層を含む。そのような材料は、安全対策として提供され、かつ漏れた液体のみを含むことを必要とされるのみであるために、それは、全く吸収性である必要はなく、そして事実、疎水材料を含む毛細管又は細胞状組織から成るものであつてよい。しかし、好ましい材料は、木材パルプ組織又は他の適切な親水性織り又は非織り材料の如く、セルロース繊維から成る親水性布である。好ましい組織は、製品に対して弾力性と快適性を提供する利点を有する。
　本発明の生理用ナプキン１００、２００、３００と６００は、さらに、吸収性要素６、１０６と２０６の肌着に面する側面において体液不浸透性表面１４０と２６０を含む。不浸透性表面１４０と２６０は、好ましくは、外側表面への液体の通過を阻止しながら、空気及び水分蒸気の通過を許容する。不浸透性表面１４０と２６０は、熱密封されるか、又は芯あるいは浸透性表面カバーに包まれた芯へ接着剤により締結されてもよい。不浸透性表面１４０と２６０は、ポリマー・フィルム、例えば、ポリエチレン、ポリプロピレン、セロハンの如く、薄い柔軟な体液不透過性材料か、あるいは含浸液体防水紙又は非織り布材料の如く、不浸透性に処理された標準液体浸透性材料を含む。
　第１図と第２図の好ましい翼付き構成は、吸収性要素６と１０６の縦側部２５と１２５の各々から横に延びるフラップ１０と１１９を含む。好ましくは吸収性パルプ材料を含まないが、これらのフラップ１０と１１９は、上記の体液不浸透性表面１４０と２６０に関連して記載された材料の如く、体液不浸透性裏当てを含むことができる。また、フラップ１０と１１９は、上記の体液浸透性層１３０と２５０の如く、体液浸透性カバーと、カバーと裏当ての間に配置された吸収性組織とを含み得ることが予期される。さらに、本発明のフラップ１０と１１９は、少量の漏れた液体を保持するための十分な毛管作用を有する吸収性組織を含むことが好ましい。この組織は、フラップ１０と１１９の縁の回り、好ましい不浸透性裏当てとフラップ１０と１１９の体液浸透性カバーに熱密封又は接着密封され、吸収性領域を形成することができる。
　また、公知の感圧接着剤材料から作成された付着接着要素２０が、本発明に関して包含される。ここで使用された如く、用語「感圧」は、剥離可能な接着又は粘着手段を意味する。生理用ナプキンに適する接着合成物は、例えば、アクリル酸エステル接着剤の如く、水性感圧接着剤を含む。代替的に、接着剤は、急速凝固熱可塑性「ホツトメルト」ゴム接着剤、又は両面接着剤テープを含む。技術において慣例である如く、被覆紙剥離細片２１はまた、使用の前に、細片２０の如く、接着要素を保護するために適用される。
　今第６図を参照すると、生理用ナプキンの実施態様６００が示され、縦に配置された弾性手段、好ましくは弾性細片６１と６２を有し、肌着による折り返しを阻止するようにフラップを形成する。要求条件ではないが、弾性細片６１と６２の端部は、接着剤を有する外側縫合領域６５に配置されることが予期される。好ましくは、フラップは、弾性手段によ
って
　前述から、本発明は、弾性部材を有する改良された生理用ナプキンを提供し、ナプキンの身体に面する部分に大きな凸形状を提供し、及び／又は翼付き生理用ナプキンのフラップの接着剤なしの配置を許容することが認識される。開示された弾性要素はまた、パンティー股に関して翼を引き伸ばし、かつたわませ、より良い保護のための位置に翼を保持する。本発明のナプキンは、フラップにおける接着剤をパンティーから分離する付加的な作業が除去されるために、使用の後、除去が容易である。
　多様な実施態様が示されたが、これは、発明を制限するためではなく、説明するためであった。技術における熟練者には明らかになる多様な修正が、特許請求の範囲に記載された本発明の範囲内にある。
　本発明の主なる特徴及び態様は以下のとおりである。
　
１
（ｂ）該吸収性要素の該縦側部の各々から横に延び
ており、該吸収性要素の該縦側部の各々の中央部付近に配置された、該肌着の股部分の側部上に折り返すための
（ｃ）
該フラップの少なくとも一方を
すた
を含むことを特徴とする生理用ナプキン。
　
２
１
　
３
１
　
４
２
　
５
４
　
６
５
　
７
１
　
８
７
　
９
８
　
１０
（ｂ）該吸収性要素の該縦側部の各々から横に延び
ており、該吸収性要素の該縦側部の各々の中央部付近に配置された、該肌着の股部分の側部上に折り返すための
（ｃ）該フラップの一方の肌着に面する側面により凹な形状を提供するために、該フラップの少なくとも一方内に縦に配置された弾性手段とを含む
ことを特徴とする身体に面する側面と肌着に面する側面とを有する生理用ナプキン。
　
１１
１０
　
１２
１１
【図面の簡単な説明】
　第１図は、１つの弾性手段の部分的に区分化された図と１つのフラップの結果の構成とを示す翼付き生理用ナプキンの肌着に面する側面の平面図。
　第２図は、フラップ部材内に実質的に配置された弾性手段の部分的に区分化された図を示す別の翼付き生理用ナプキンの肌着に面する側面の平面図。
　第３図は、ナプキンの中央吸収性芯を形成するために、弾性手段の部分的に区分化された図を示す別の生理用ナプキンの頂面図。
　第４図は、フラップの結果の構成を示す第２図のナプキンの横端面図。
　第５図は、中央吸収剤の結果の構成を示す第３図のナプキンの横端面図。
　第６図は、各フラップ部材内に縦に配置された弾性手段の部分的に区分化された図を示す翼付き生理用ナプキンの肌着に面する側面の平面図。